(57)【要約】【課題】区画体の発光態様を正確に制御することができる遊技機を提供する。【解決手段】表示装置の正面側に、表示領域を複数の分割領域に区画する複数の区画体が配置される。第一横区画体３１は、複数のＬＥＤ２２５が正面側に列状配置されたＬＥＤ基板７２と、ＬＥＤ基板７２を被覆する透明な樹脂ケース７１と、樹脂ケース７１との間でＬＥＤ基板７２を支持する支持板７４と、支持板７４とＬＥＤ基板７２とを絶縁する絶縁シート７３とを備える。【選択図】図５
2012045238.tif 000002
【特許請求の範囲】
【請求項１】
画像を表示可能な表示領域を有する表示装置と、
前記表示装置の正面側に配置され、前記表示領域を複数の分割領域に区画する区画体と、
前記区画体の発光態様を制御する発光制御手段とを備えた遊技機であって、
前記区画体は、
複数の光源が正面側に列状配置された、前記複数の光源の配列方向を長手とする基板と、
前記基板の正面側に設けられ、前記基板を被覆する略板状の透明な導光部材と、
前記基板の背面側に設けられ、前記導光部材との間で前記基板を支持する略板状の支持部材と、
前記導光部材と前記支持部材との間に設けられ、前記支持部材と前記基板とを絶縁するシート状の絶縁部材とを備え、
前記発光制御手段は、前記複数の光源のそれぞれについて発光制御を実行可能であることを特徴とする遊技機。
【請求項２】
遊技状態に応じた所定の演出画像を前記表示装置に表示させる画像制御手段を備え、
前記区画体は、前記表示領域を上下方向に区画する第１区画体と、前記表示領域を左右方向に区画する第２区画体とを含み、
前記複数の分割領域は、前記第１区画体と前記第２区画体とよって格子状に区画された領域であって、
前記画像制御手段は、前記複数の分割領域の少なくとも１つに、前記演出画像を表示させ、
前記発光制御手段は、前記演出画像が表示される前記分割領域の輪郭位置が発光するように、前記輪郭位置に含まれる前記光源を発光させることを特徴とする請求項１に記載の遊技機。
【請求項３】
前記演出画像は、抽選結果を報知するための図柄であって、
前記画像制御手段は、前記抽選結果に応じて前記複数の分割領域にそれぞれ前記図柄を表示し、
前記発光制御手段は、前記複数の分割領域にそれぞれ表示される前記図柄の組み合わせに応じて、前記輪郭位置に含まれる前記光源を発光させることを特徴とする請求項２に記載の遊技機。
【請求項４】
前記画像制御手段は、所定方向に並ぶ前記分割領域に表示させる前記図柄の組み合わせによって前記抽選結果を報知し、
前記発光制御手段は、前記図柄の組み合わせがリーチ状態を示す前記分割領域の輪郭位置が発光するように、前記輪郭位置に含まれる前記光源を発光させることを特徴とする請求項３に記載の遊技機。
【請求項５】
前記区画体を前記表示領域に沿って移動させる移動制御手段を備えたことを特徴とする請求項１から４のいずれかに記載の遊技機。
【発明の詳細な説明】
【技術分野】
【０００１】
本発明は、遊技の演出を行う可動体を備えた遊技機に関する。
【０００２】
従来、遊技の演出を行う可動体を備えた遊技機が知られている。例えば、液晶表示装置の表示領域を複数に区画するように移動自在な区画体を備えた遊技機が知られている（例えば、特許文献１参照）。また、光源からの光を反射面で反射させることで、光源から離れた位置で発光可能な遊技機用の発光装置が知られている（例えば、特許文献２参照）。
【先行技術文献】
【特許文献】
【０００３】
【特許文献１】特開２００８−１１００３７号公報
【特許文献２】特開２００９−１８３４２９号公報
【発明の概要】
【発明が解決しようとする課題】
【０００４】
例えば、特許文献１に記載の区画体を、遊技の演出に連動して発光させることが考えられる。この場合、特許文献２に記載のように、区画体に設けられた反射面に対して側方から光を照射することで、区画体を正面側に発光させることが考えられる。このように、光を照射して区画体を発光させる場合、光源が発光面から離間した位置に設けられているため、区画体の発光態様（例えば、発光部位、発光強度、発光色など）を正確に制御することが困難であった。区画体の発光態様が不正確である場合、区画体の発光態様と遊技の演出とが連動しにくくなり、遊技の興趣が低下するおそれがあった。
【０００５】
本発明は、区画体の発光態様を正確に制御することができる遊技機を提供することを目的とする。
【課題を解決するための手段】
【０００６】
本発明の一態様に係る遊技機は、画像を表示可能な表示領域を有する表示装置と、前記表示装置の正面側に配置され、前記表示領域を複数の分割領域に区画する区画体と、前記区画体の発光態様を制御する発光制御手段とを備えた遊技機であって、前記区画体は、複数の光源が正面側に列状配置された、前記複数の光源の配列方向を長手とする基板と、前記基板の正面側に設けられ、前記基板を被覆する略板状の透明な導光部材と、前記基板の背面側に設けられ、前記導光部材との間で前記基板を支持する略板状の支持部材と、前記導光部材と前記支持部材との間に設けられ、前記支持部材と前記基板とを絶縁するシート状の絶縁部材とを備え、前記発光制御手段は、前記複数の光源のそれぞれについて発光制御を実行可能であることを特徴とする。
【０００７】
上記の遊技機によれば、表示装置の正面側に、表示領域を複数の分割領域に区画する区画体が配置される。区画体は、複数の光源が正面側に列状配置された基板と、基板を被覆する略板状の透明な導光部材と、導光部材との間で基板を支持する略板状の支持部材と、支持部材と基板とを絶縁するシート状の絶縁部材とを備える。区画体では、複数の光源のそれぞれについて発光制御が実行される。したがって、区画体の発光態様を正確に制御することができる。
【０００８】
上記の遊技機において、遊技状態に応じた所定の演出画像を前記表示装置に表示させる画像制御手段を備え、前記区画体は、前記表示領域を上下方向に区画する第１区画体と、前記表示領域を左右方向に区画する第２区画体とを含み、前記複数の分割領域は、前記第１区画体と前記第２区画体とよって格子状に区画された領域であって、前記画像制御手段は、前記複数の分割領域の少なくとも１つに、前記演出画像を表示させ、前記発光制御手段は、前記演出画像が表示される前記分割領域の輪郭位置が発光するように、前記輪郭位置に含まれる前記光源を発光させてもよい。
【０００９】
この場合、第１区画体と第２区画体とよって、表示領域が複数の分割領域に格子状に区画される。そして、演出画像が表示される分割領域の輪郭位置が発光するように、輪郭位置に含まれる光源が発光される。これにより、演出画像の表示される分割領域が視覚的に際立つため、演出画像に対して遊技者の関心を集めることができ、演出効果を高めることができる。
【００１０】
上記の遊技機において、前記演出画像は、抽選結果を報知するための図柄であって、前記画像制御手段は、前記抽選結果に応じて前記複数の分割領域にそれぞれ前記図柄を表示し、前記発光制御手段は、前記複数の分割領域にそれぞれ表示される前記図柄の組み合わせに応じて、前記輪郭位置に含まれる前記光源を発光させてもよい。この場合、所定の図柄の組み合わせが表示される分割領域が視覚的に際立つため、図柄によって報知される抽選結果に対して遊技者の関心を集めることができ、演出効果を高めることができる。
【００１１】
上記の遊技機において、前記画像制御手段は、所定方向に並ぶ前記分割領域に表示させる前記図柄の組み合わせによって前記抽選結果を報知し、前記発光制御手段は、前記図柄の組み合わせがリーチ状態を示す前記分割領域の輪郭位置が発光するように、前記輪郭位置に含まれる前記光源を発光させてもよい。この場合、大当たりが報知される可能性が高い図柄の組み合わせが表示される分割領域が視覚的に際立つため、抽選結果に対して遊技者の大きな関心を集めることができる。
【００１２】
上記の遊技機において、前記区画体を前記表示領域に沿って移動させる移動制御手段を備えてもよい。この場合、区画体を移動させて複数の分割領域の位置や大きさなどを変化させることができる。このような複数の分割領域の変化に応じて、発光させる光源の位置を調整することで、分割領域の輪郭位置を適切に発光させることができる。
【図面の簡単な説明】
【００１３】
【図１】パチンコ機１の正面図である。
【図２】遊技盤２の正面図である。
【図３】演出装置３０を右斜め上方手前側から見た斜視図である。
【図４】演出装置３０の正面図である。
【図５】第一横区画体３１の部品展開図である。
【図６】図４のＡ−Ａ線矢視方向断面図である。
【図７】チャンス演出時の表示装置２８の正面図である。
【図８】リーチ演出時の表示装置２８の正面図である。
【発明を実施するための形態】
【００１４】
以下、本発明に係る遊技機の一実施の形態であるパチンコ機１について、図面を参照して説明する。
【００１５】
図１および図２を参照して、パチンコ機１の機械的構成について説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に遊技球を供給し、且つ賞品球を受ける上皿５が設けられている。上皿５の直下には、賞品球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１６】
図２に示すように、遊技盤２の前面には、ガイドレール３で囲まれた略円形の遊技領域４が形成されている。遊技領域４の略中央には、ＬＣＤである表示装置２８が設けられている。表示装置２８の表示領域では、大当たり判定の結果を遊技者に報知するための報知演出、大当たり遊技中の演出等、様々な演出の映像が表示される。特に、報知演出では複数のデモ図柄の変動および停止が行われ、同一のデモ図柄が所定ライン上に確定表示されることで、大当たり判定の結果が当たりであることが遊技者に報知される。
【００１７】
表示装置２８の外縁を取り囲むように、各種演出を行う演出装置３０（図３等参照）が設けられている。演出装置３０は、表示装置２８およびスピーカ４８等と連動して、報知演出等の様々な演出を実行する。表示装置２８の左方には、普通図柄始動ゲート１２が設けられている。普通図柄始動ゲート１２を遊技球が通過すると、普通当たり判定が行われる。表示装置２８の下方には、特別図柄始動電動役物１５が配設されている。特別図柄始動電動役物１５に遊技球が入賞することを契機として、大当たり判定が行われる。特別図柄始動電動役物１５の下方には、大入賞口１６が設けられている。さらに、遊技盤２には、上記以外に各種の電飾ランプ、入賞口、風車、および遊技釘が設けられている。
【００１８】
特別図柄始動電動役物１５には開閉部材が設けられており、この開閉部材が開放されると、特別図柄始動電動役物１５への遊技球の入賞が容易となる。特別図柄始動電動役物１５の開閉部材は、普通当たり判定によって当たりと判定されることで開放される。大入賞口１６にも開閉部材が設けられており、この開閉部材が開放された場合のみ、遊技球が大入賞口１６に入賞可能となる。大入賞口１６の開閉部材は、大当たり判定によって当たりと判定されることで開放される。各開閉部材は、ソレノイドによって電気的に開放される。特別図柄始動電動役物１５および大入賞口１６に遊技球が入賞すると、所定数の遊技球が払い出される。
【００１９】
図示しないが、パチンコ機１の背面側には、各種基板を備えた制御部が設けられている。制御部の各基板はＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。サブ制御基板は、主基板で行われた各種判定の結果等に基づいて、各種演出動作を実行する。サブ制御基板は、表示装置２８の表示制御を行う演出制御基板や、演出装置３０の動作制御を行うランプドライバ基板に接続されている。サブ制御基板は、ランプドライバ基板を介して、主基板で行われた制御結果に基づいて、後述する右側縦移動モータ５０、左側縦移動モータ９０、および横移動モータ１１３を制御したり、後述の区画体３１〜３４に設けられた複数のＬＥＤ２２５の発光態様を制御したりする。
【００２０】
以下、演出装置３０について説明する。まず、図３および図４を参照して、演出装置３０の概要について説明する。図３の紙面左斜め手前側および図４の紙面手前側を、演出装置３０の正面側とする。図３の紙面右斜め奥側および図４の紙面奥側を、演出装置３０の背面側とする。図３および図４の左側を演出装置３０の左側とし、図３および図４の右側を演出装置３０の右側とする。
【００２１】
演出装置３０は、表示装置２８（図１および図２参照）の表示領域を複数の領域に区画するための４つの区画体３１〜３４を備える。詳細には、演出装置３０は、第一横区画体３１、第二横区画体３２、第一縦区画体３３、および第二縦区画体３４を備える。第一横区画体３１および第二横区画体３２（以下、これらをまとめて「横区画体３１，３２」という。）は、表示装置２８よりも正面側に配置される棒状体であり、正面視で表示装置２８の表示領域を上下方向に仕切ることができる。第一縦区画体３３および第二縦区画体３４（以下、これらをまとめて「縦区画体３３，３４」という。）は、表示装置２８よりも正面側に配置される棒状体であり、正面視で表示装置２８の表示領域を左右方向に仕切ることができる。
【００２２】
２つの横区画体３１，３２のそれぞれは、表示領域の中央部を中心として上下対称に縦移動することができる。横区画体３１，３２が可動範囲内の原点範囲にある状態（図１〜図４に示す状態）では、表示装置２８の表示領域は、横区画体３１，３２によって横方向に略均等に３行に区画される。原点範囲にあった横区画体３１，３２のそれぞれが、互いに離間する方向に対称移動すると、３行に区画された領域のうちの中央の領域の面積が広がる。その後、横区画体３１，３２のそれぞれが可動範囲内の終点位置に到達すると、横区画体３１，３２は表示装置２８の表示領域の上方および下方に位置し、表示領域の横方向の区画が解除される。
【００２３】
２つの縦区画体３３，３４のそれぞれは、表示領域の中央部を中心として左右対称に横移動することができる。縦区画体３３，３４が可動範囲内の原点範囲にある状態（図１〜図４に示す状態）では、表示装置２８の表示領域は、縦区画体３３，３４によって縦方向に略均等に３列に区画される。原点範囲にあった縦区画体３３，３４のそれぞれが、互いに離間する方向（外側）に対称移動すると、３列に区画された領域のうちの中央の領域の面積が広がる。その後、縦区画体３３，３４のそれぞれが可動範囲内の終点位置に到達すると、縦区画体３３，３４は表示装置２８の表示領域の右方および左方に位置する。その結果、表示領域の縦方向の区画が解除される。
【００２４】
通常の報知演出中は、４つの区画体３１〜３４はいずれも原点範囲に位置する。その結果、表示装置２８の表示領域は格子状に９個の分割領域２８１〜２８９（図２参照）に区画され、区画された９個の分割領域２８１〜２８９のそれぞれにデモ図柄が表示される。格子状の分割領域２８１〜２８９のうち、縦、横、斜めの合計８つのラインの少なくともいずれかに同一の図柄が表示されると、大当たり遊技が開始されて多数の遊技球が払い出される。少なくともいずれかのラインにおいて、１番目に停止したデモ図柄と２番目に停止したデモ図柄とが同一の図柄となれば、所謂リーチ演出が実行される。リーチ演出では、パチンコ機１は、区画体３１〜３４を移動させて９個の分割領域２８１〜２８９のそれぞれの大きさを変化させることができる。さらに、パチンコ機１は、区画体３１〜３４の全てを終点位置に移動させて区画を解除し、表示領域全体でリーチ演出を行うこともできる。大当たり遊技が開始されると、パチンコ機１は区画を解除し、表示領域全体で大当たり遊技中の演出を実行する。
【００２５】
ここで、区画体３１〜３４を移動させる機構について説明する。演出装置３０は、横区画体３１，３２を縦移動させるための２つの移動機構（右側縦移動機構４１および左側縦移動機構８１）を備える。右側縦移動機構４１は、演出装置３０の右側に設けられている。左側縦移動機構８１は、演出装置３０の左側に設けられている。
【００２６】
右側縦移動機構４１は、ステップモータである右側縦移動モータ５０を備える。右側縦移動モータ５０の出力軸は後方へ延びて、駆動プーリ（図示外）に固定される。右側縦移動機構４１は、下端部近傍に従動プーリ５４を備える。駆動プーリ（図示外）および従動プーリ５４には、無端状のタイミングベルト６０が架け渡されている。タイミングベルト６０の歯部は駆動プーリ（図示外）の歯部と噛み合うため、駆動プーリ（図示外）が回転するとタイミングベルト６０も回転する。
【００２７】
右側縦移動機構４１は、表示装置２８の正面視右縁に沿って上下方向に真っ直ぐに延びる縦移動ガイド軸６３を備える。第一横区画体３１の右端部４４は、縦移動ガイド軸６３に沿って上下方向に摺動可能な第一ベルト接続部４５に固定される。第一ベルト接続部４５の右端部は、タイミングベルト６０のうち互いに対向する部分（右部６１および左部６２）の一方である右部６１に接続される。第二横区画体３２の右端部６５は、第一ベルト接続部４５の下側に設けられ、縦移動ガイド軸６３に沿って上下方向に摺動可能な第二ベルト接続部６７に固定される。第二ベルト接続部６７の右端部は、タイミングベルト６０のうちの左部６２に接続される。
【００２８】
タイミングベルト６０が左回りに回転すると、タイミングベルト６０の右部６１は上方へ移動し、左部６２は下方へ移動する。従って、タイミングベルト６０が左回りに回転すると、右部６１に接続された第一横区画体３１は上方へ移動し、左部６２に接続された第二横区画体３２は下方へ移動する。逆に、タイミングベルト６０が右回りに回転すると、第一横区画体３１は下方へ移動し、第二横区画体３２は上方へ移動する。右部６１と左部６２の移動方向は反対であり、且つ移動量は同じであるため、第一横区画体３１と第二横区画体３２とは上下対称に移動することとなる。
【００２９】
左側縦移動機構８１の要部の構成は、右側縦移動機構４１の構成と同一である。すなわち、左側縦移動機構８１は、ステップモータである左側縦移動モータ９０を備える。左側縦移動モータ９０の出力軸は後方へ延びて、駆動プーリ（図示外）に固定される。この駆動プーリ（図示外）には、左側縦移動機構８１の下端部近傍に設けられた従動プーリ９４との間に、無端状のタイミングベルト１００が架け渡されている。
【００３０】
左側縦移動機構８１は、表示装置２８の正面視左縁に沿って上下方向に真っ直ぐに延びる縦移動ガイド軸１０３を備える。第一横区画体３１の左端部８４は、縦移動ガイド軸１０３に沿って上下方向に摺動可能な第一ベルト接続部８５に固定される。第一ベルト接続部８５の左端部は、タイミングベルト１００のうち互いに対向する部分（右部１０１および左部１０２）の一方である左部１０２に接続される。第二横区画体３２の左端部１０５は、第一ベルト接続部８５の下側に設けられ、縦移動ガイド軸１０３に沿って上下方向に摺動可能な第二ベルト接続部１０７に固定される。第二ベルト接続部１０７の左端部は、タイミングベルト１００のうちの右部１０１に接続される。
【００３１】
タイミングベルト１００が右回りに回転すると、タイミングベルト１００の左部１０２は上方へ移動し、右部１０１は下方へ移動する。従って、タイミングベルト１００が右回りに回転すると、左部１０２に接続された第一横区画体３１は上方へ移動し、右部１０１に接続された第二横区画体３２は下方へ移動する。逆に、タイミングベルト１００が左回りに回転すると、第一横区画体３１は下方へ移動し、第二横区画体３２は上方へ移動する。右部１０１と左部１０２の移動方向は反対であり、且つ移動量は同じであるため、第一横区画体３１と第二横区画体３２とは上下対称に移動することとなる。
【００３２】
演出装置３０では、２つの移動機構（右側縦移動機構４１および左側縦移動機構８１）が、第一横区画体３１の左右の端部を同一方向に同一速度で移動させるとともに、第二横区画体３２の左右の端部を同一方向に同一速度で移動させる。つまり、２つの移動機構によって、第一横区画体３１および第二横区画体３２が同期するように、その水平状態を維持しつつ上下方向へ対称移動させることができる。
【００３３】
また、演出装置３０は、縦区画体３３，３４を横移動させるための横移動機構１１０を備える。横移動機構１１０は、ステップモータである横移動モータ１１３を備える。横移動モータ１１３は、横移動モータ１１３の出力軸は下方へ真っ直ぐに延び、駆動プーリ１１５に固定される。横移動機構１１０は、左上端部に従動プーリ１１６を備える。駆動プーリ１１５および従動プーリ１１６にはタイミングベルト１１７が架け渡されている。タイミングベルト１１７の歯部は駆動プーリ１１５の歯部と噛み合うため、駆動プーリ１１５が回転するとタイミングベルト１１７も回転する。
【００３４】
第一縦区画体３３の上端部には、第一接触部材１２０が固定されている。第一接触部材１２０は、タイミングベルト１１７のうち互いに対向する部分（前部１１８および後部１１９）の一方である後部１１９に接続される。つまり、第一縦区画体３３は、第一接触部材１２０を介して後部１１９に接続される。また、第二縦区画体３４の上端部には、第二接触部材１２１が固定されている。第二接触部材１２１は、タイミングベルト１１７のうちの前部１１８に接続される。
【００３５】
横移動機構１１０は、表示装置２８の正面視上縁に沿って左右方向に真っ直ぐに延びる第一横移動ガイド軸１２２および第二横移動ガイド軸（図示外）を備える。第二横移動ガイド軸（図示外）は、第一横移動ガイド軸１２２の若干前側で、第一横移動ガイド軸１２２と並列に延びている。第一横移動ガイド軸１２２および第二横移動ガイド軸（図示外）を合わせて、以下では２つの横移動ガイド軸という。
【００３６】
第一接触部材１２０には、第二横移動ガイド軸１２３が挿通されている。さらに、第一接触部材１２０には、正面側に突出する爪部１２４が形成されている。爪部１２４は、摺動可能な状態で第一横移動ガイド軸１２２を上下から挟み込むように配置されている。つまり、第一接触部材１２０の横移動は、２つの横移動ガイド軸によって案内される。よって、第一接触部材１２０は、１つのガイド軸によって案内される場合に比べてより円滑に横移動することができる。また、２つの横移動ガイド軸によって第一接触部材１２０の横移動を案内することで、第一接触部材１２０が回転または揺動して不具合が生じることを防止することもできる。
【００３７】
なお、第二接触部材１２１にも第二横移動ガイド軸１２３が挿通されており、第二接触部材１２１から正面側に突出する爪部１２５が第一横移動ガイド軸１２２に嵌まり合う。したがって、第二縦区画体３４に固定された第二接触部材１２１も、第一接触部材１２０と同様に、２つの横移動ガイド軸１２２，１２３によって案内される。
【００３８】
タイミングベルト１１７が平面視で右回り（時計回り）に回転すると、タイミングベルト１１７の後部１１９は右方へ移動し、前部１１８は左方へ移動する。従って、タイミングベルト１１７が平面視右回りに回転すると、後部１１９に接続された第一縦区画体３３は右方へ移動し、前部１１８に接続された第二縦区画体３４は左方へ移動する。前部１１８と後部１１９の移動方向は反対であり、且つ移動量は同じであるため、第一縦区画体３３と第二縦区画体３４とは左右対称に移動することとなる。つまり、１組の横移動モータ１１３およびタイミングベルト１１７のみを用いる簡易な構成で、第一横区画体３１および第二横区画体３２が同期するように、その垂直状態を維持しつつ左右方向へ対称移動させることができる。
【００３９】
図５および図６を参照して、区画体３１〜３４の構成について説明する。なお、区画体３１〜３４の要部は同様の構成を有するため、以下では第一横区画体３１についてのみ説明し、他の区画体３２〜３４の説明は省略する。
【００４０】
図５および図６に示すように、第一横区画体３１は、樹脂ケース７１、ＬＥＤ基板７２、絶縁シート７３、支持板７４を備えている。樹脂ケース７１は、その周縁部が後方に突出する略コの字型断面で成型された樹脂製の透明体であり、第一頭部２１２、胴部２１３、第二頭部２１８を有する。胴部２１３は、左右方向に延びる溝状の凹部を有する長尺部である。胴部２１３には、後述する複数のＬＥＤ２２５にそれぞれ対応して、各ＬＥＤ２２５からの光を正面側に拡散させる複数の光拡散部２１５が形成されている。
【００４１】
第一頭部２１２は、胴部２１３の左端に連設された端部であって、胴部２１３よりも上方に延びる正面視で略正方形状をなす。第一頭部２１２の正面視中央には、胴部２１３を前後方向に貫通する開口部２１４が形成されている。開口部２１４の左側には、後述するビス７５が螺合されるネジ孔を有する２つのビス受部２１９が設けられている。また、開口部２１４の左側には、第一横区画体３１の左端部８４（図４参照）を第一ベルト接続部８５（図４参照）に連結するためのボルトが螺合されるネジ孔を有する２つのボルト受部２１６が設けられている。
【００４２】
第二頭部２１８は、胴部２１３の右端に連設された端部であって、胴部２１３よりも上方に延びる正面視で略矩形状の端部である。第一頭部２１２および第二頭部２１８は、それぞれの背後に凹部を有する。第二頭部２１８における中央部のやや左側には、後述するビス７５が螺合されるネジ孔を有するビス受部２１９が設けられている。第二頭部２１８における中央部のやや右側には、第一横区画体３１の右端部４４（図４参照）を第一ベルト接続部４５（図４参照）に連結するためのボルトが螺合されるネジ孔を有するボルト受部２１６が設けられている。
【００４３】
ＬＥＤ基板７２は、第一基板部２２２および第二基板部２２３を有する基板２２１を備える。第二基板部２２３は、左右方向に延びる細長状をなし、胴部２１３の溝部と第二頭部２１８の凹部とに収まる全長（左右方向長さ）および幅長（上下方向長さ）を有する。第二基板部２２３の上縁および左縁には、後述するビス７５の周面の一部が嵌め込まれる２つの切欠部２２８が形成されている。第一基板部２２２は、第二基板部２２３の左端に連設された正面視正方形状であり、第一頭部２１２の凹部に収まる大きさを有する。第二基板部２２３の右端縁には、後述するビス７５を挿通可能な孔部２２９が形成されている。
【００４４】
第二基板部２２３の正面側には、略等間隔で複数のＬＥＤ２２５が配設されている。本実施形態では、正面視で表示装置２８の表示領域と重なる範囲内に、９つのＬＥＤ２２５が略等間隔で配設されている。第一基板部２２２の正面側には、外部配線が接続されるコネクタ２２４が配設されている。図示しないが、第一基板部２２２および第二基板部２２３の正面側および背面側には、９つのＬＥＤ２２５をコネクタ２２４に接続する配線ラインが形成されている。なお、コネクタ２２４に接続される外部配線は、先述のランプドライバ基板に接続されている。サブ制御基板は、ランプドライバ基板を介して、９つのＬＥＤ２２５をそれぞれ独立して発光制御することができる。
【００４５】
絶縁シート７３は、絶縁材料で形成された薄膜状のシート本体２３１を備える。シート本体２３１は、基板２２１と同程度の全長（左右方向長さ）を有し、且つ、第二基板部２２３と同程度の幅長（上下方向長さ）を有する。シート本体２３１の左右両端には、それぞれ、後述するビス７５を挿通可能な孔部２３９が形成されている。
【００４６】
支持板７４は、導電性金属（例えば、鉄）で形成された薄板状の板本体２４１を備える。板本体２４１は、その両端部を除いて、その周縁部が前方に突出する略コの字型断面で成型されている。板本体２４１の左右両端には、それぞれ、後述するビス７５を挿通可能な孔部２４９が形成されている。
【００４７】
第一横区画体３１では、樹脂ケース７１の背面側に設けられた凹部に、ＬＥＤ基板７２が嵌め込まれる。ＬＥＤ基板７２の背面側を覆うように、絶縁シート７３が配置される。さらに、絶縁シート７３の背面側を覆うように、支持板７４が配置される。この状態で、第一横区画体３１の左端側で連通する２か所のビス受部２１９、切欠部２２８、孔部２３９、孔部２４９に後方からビス７５がそれぞれ挿入されて、各ビス７５の先端がビス受部２１９に螺合される。また、第一横区画体３１の右端側で連通するビス受部２１９、孔部２２９、孔部２３９、孔部２４９に後方からビス７５が挿入されて、ビス７５の先端がビス受部２１９に螺合される。
【００４８】
これにより、樹脂ケース７１の内部では、背面側に絶縁シート７３が取り付けられたＬＥＤ基板７２が、支持板７４によって後方から封止される。つまり、第一横区画体３１は、支持板７４によって補強されているので、撓みや屈曲などに対する物理的強度を高めることができる。また、ＬＥＤ基板７２の背面側に絶縁シート７３が取り付けられているので、ＬＥＤ基板７２の支持板７４に対する絶縁性を高めることができる。また、各ＬＥＤ２２５の正面側には光拡散部２１５が配置されているので、各ＬＥＤ２２５からの光を適切に拡散させて演出効果を高めることができる。
【００４９】
図７および図８を参照して、区画体３１〜３４を用いた演出態様の一例を説明する。図７は、表示装置２８におけるデモ図柄の変動表示時に、大当たりの期待度が高いことを示す期待演出が実行された場合を例示している。この場合、デモ図柄の変動表示の開始後に、第一横区画体３１が上方向に移動し、第二横区画体３２に下方向に移動し、第一縦区画体３３が右方向に移動し、第二縦区画体３４が左方向に移動する。これにより、９個の分割領域２８１〜２８９が変形し、特に中央の分割領域２８５が大きな表示範囲を占めている。
【００５０】
そして、変形後の分割領域２８５に「チャンスだよ！」が表示される。さらに、正面視で分割領域２８５の輪郭位置に存在するＬＥＤ２２５（つまり、分割領域２８５の周囲を取り囲むＬＥＤ２２５）が点滅または点灯される。これにより、点滅または点灯するＬＥＤ２２５によって囲まれた分割領域２８５の表示内容「チャンスだよ！」に、遊技者の関心を集めることができる。ひいては、例えば大当たりに対する期待感を高めて、演出効果を高めることができる。
【００５１】
図８は、表示装置２８におけるデモ図柄の変動表示時に、先述のリーチ演出が実行された場合を例示している。図８の例では、表示装置２８におけるデモ図柄の変動表示が開始されたのち、分割領域２８１〜２８４、２８６〜２８９のそれぞれにデモ図柄が停止表示され、分割領域２８５のみでデモ図柄が変動表示されている。この状態で、分割領域２８３、２８５、２８７を結ぶ斜めラインにおいて、図柄「７」のリーチが成立している。
【００５２】
そして、正面視でリーチラインである分割領域２８３、２８５、２８７の輪郭位置に存在するＬＥＤ２２５（つまり、分割領域２８３、２８５、２８７の周囲を取り囲むＬＥＤ２２５）が点滅または点灯される。これにより、点滅または点灯するＬＥＤ２２５によって囲まれた分割領域２８３、２８５、２８７（つまり、リーチライン）に、遊技者の関心を集めることができる。ひいては、例えば大当たりに対する期待感を高めて、演出効果を高めることができる。
【００５３】
以上説明したように、本実施形態のパチンコ機１によれば、表示装置２８の正面側に、表示領域を複数の分割領域２８１〜２８９に区画する区画体３１〜３４が配置される。区画体３１〜３４は、複数のＬＥＤ２２５が正面側に列状配置されたＬＥＤ基板７２と、ＬＥＤ基板７２を被覆する透明な樹脂ケース７１と、樹脂ケース７１との間でＬＥＤ基板７２を支持する支持板７４と、支持板７４とＬＥＤ基板７２とを絶縁する絶縁シート７３とを備える。区画体３１〜３４では、複数のＬＥＤ２２５のそれぞれについて発光制御が実行される。したがって、区画体３１〜３４の発光態様（例えば、発光部位、発光強度、発光色など）を正確に制御することができる。
【００５４】
また、横区画体３１、３２と縦区画体３３、３４とによって格子状に区画された表示領域２８１〜２８９のうち、演出画像が表示される分割領域の輪郭位置が発光するように、輪郭位置に含まれるＬＥＤ２２５が発光される。これにより、演出画像（例えば、期待演出やリーチ演出など）の表示される分割領域が視覚的に際立つため、演出画像に対して遊技者の関心を集めることができ、演出効果を高めることができる。さらに、区画体３１〜３４を移動させて、複数の分割領域２８１〜２８９の位置や大きさなどを変化させ、これに応じて発光させるＬＥＤ２２５の位置を調整することで、分割領域の輪郭位置を適切に発光させることができる。
【００５５】
なお、本実施形態において、サブ制御基板が本発明の「発光制御手段」および「移動制御手段」に相当する。ＬＥＤ２２５が本発明の「光源」に相当し、ＬＥＤ基板７２が本発明の「基板」に相当する。樹脂ケース７１が本発明の「導光部材」に相当する。支持板７４が本発明の「支持部材」に相当する。絶縁シート７３が本発明の「絶縁部材」に相当する。演出制御基板が本発明の「画像制御手段」に相当する。横区画体３１、３２が本発明の「第１区画体」に相当する。縦区画体３３、３４が本発明の「第２区画体」に相当する。
【００５６】
本発明は、以上詳述した実施の形態に限定されるものではなく、本発明の要旨を逸脱しない範囲内において種々の変更が可能であることは勿論である。例えば、区画体に設けられる光源は、ＬＥＤとは異なる発光素子（有機ＥＬ等）であってもよい。また、区画体や分割領域の形状、数量、位置などは、上記実施形態に限定されず任意に変更可能である。
【００５７】
また、区画体に設けられる光源の発光態様も、上記実施形態に限定されず自由に設定可能である。例えば、上記実施形態では、リーチラインを構成する全ての分割領域（図８の例では、分割領域２８３、２８５、２８７）の輪郭位置に存在するＬＥＤ２２５を点灯または点滅させることで、リーチ状態を報知している。これに代えて、リーチラインに含まれる一部の分割領域の輪郭位置に存在するＬＥＤ２２５を点灯または点滅させることで、リーチ状態を報知してもよい。図８の例でいえば、同一のデモ図柄「７」が停止表示されている２つの分割領域２８３、２８７の輪郭位置に存在するＬＥＤ２２５を点灯または点滅させてもよい。また、リーチライン中でデモ図柄が変動表示されている分割領域２８５（言い換えると、大当たりか否かを確定させるデモ図柄が変動表示されている分割領域２８５）の輪郭位置に存在するＬＥＤ２２５を点灯または点滅させてもよい。
【符号の説明】
【００５８】
１    パチンコ機
２８    表示装置
３０    演出装置
３１    第一横区画体
３２    第二横区画体
３３    第一縦区画体
３４    第二縦区画体
７１    樹脂ケース
７２    基板
７３    絶縁シート
７４    支持板
２２５    ＬＥＤ
２８１〜２８９    分割領域
【図１】
2012045238.tif 000003
【図２】
2012045238.tif 000004
【図３】
2012045238.tif 000005
【図４】
2012045238.tif 000006
【図５】
2012045238.tif 000007
【図６】
2012045238.tif 000008
【図７】
2012045238.tif 000009
【図８】
2012045238.tif 000010